(57)【要約】【課題】簡単な構成で低コストに製造することができ、しかも、早期リハビリが可能となる橈骨神経麻痺用のリハビリ装具を提供する。【解決手段】人の肘近傍もしくは上腕部に巻き付けるように取り付けられる腕帯２と、当該腕帯２の第一の位置に設けられる第一腕帯ゴム固定部２３と、人の手掌に巻き付けるように取り付けられる手掌帯３と、当該手掌帯３における手の甲側に設けられる第一手掌帯ゴム固定部３１と、当該第一腕帯ゴム固定部２３と第一手掌帯ゴム固定部３１に取り付けられるゴム５とを備え、このゴム５の力を借りて手を背屈させるようにする。また、指帯４を指に取り付け、これをゴム５によって腕帯２側に引っ張ることで、中手骨指節間関節を他動的に伸展させ、これによって、指の側面にある側索を背側に移動させて、近位指節間関節を伸展させるようにする。【選択図】図２
2014124191.tif 000002
【特許請求の範囲】
【請求項１】
人の肘近傍もしくは上腕部に巻き付けるように取り付けられる腕帯と、
当該腕帯の第一の位置に設けられる第一腕帯弾性体固定部と、
人の手掌に巻き付けるように取り付けられる手掌帯と、
当該手掌帯における手の甲側に設けられる第一手掌帯弾性体固定部と、
当該第一腕帯弾性体固定部と第一手掌帯弾性体固定部に取り付けられるゴムと、
を備えるようにしたことを特徴とする橈骨神経麻痺用のリハビリ装具。
【請求項２】
請求項１に記載の橈骨神経麻痺用のリハビリ装具において、さらに、
人の各指に巻き付けるように取り付けられる指帯と、
当該指帯における指の甲側に設けられる指帯弾性体固定部と、
当該指帯弾性体固定部と前記第一腕帯弾性体固定部とに取り付けられる弾性体と、
を備えた橈骨神経麻痺用のリハビリ装具。
【請求項３】
前記腕帯が、肘よりも上方の上腕部に設けられるようにしたものである請求項１に記載の橈骨神経麻痺用のリハビリ装具。
【発明の詳細な説明】
【技術分野】
【０００１】
本発明は、橈骨神経麻痺を回復させるまでのリハビリ期間中に使用されるリハビリ装具に関するものである。
【背景技術】
【０００２】
橈骨神経麻痺は、上腕部の橈骨神経を圧迫することなどによって引き起こされ、手関節の背屈ができなくなり、さらに、拇指と第１〜第５指の伸展が不能になる症状を有するものとして知られている。このように橈骨神経が圧迫されて麻痺されると、手の尺側手根伸筋、長橈側手根伸筋や短橈側手根伸筋、長拇指伸筋、長拇指外転筋、支持伸筋、総指伸筋、小指伸筋などを収縮させることができなくなり、図７に示すように、手関節の背屈や手指の伸展ができなくなって、いわゆる下垂手となる。
【０００３】
ところで、このような橈骨神経麻痺は、保存的療法によって治療されるのが一般的であるが、このような保存療法によっても回復不可能な場合は手術療法が行われることもある。どちらの治療法も長期間にわたってリハビリテーションを行わなければならず、この際に、次のような装具が用いられる（特許文献１、特許文献２など）。
【０００４】
まず、第一のリハビリ装具が、トーマス型懸垂スプリントと称されるものである。この第一のリハビリ装具６は、図４に示すように、手首近傍の複数箇所に巻き付けて固定される固定具６１と、この固定具６１から釣竿状に取り付けられる金属製スプリント６２と、この金属製スプリント６２の先端から指指帯に張架されたゴム部材６３とを有するように構成され、この金属製スプリント６２とゴム部材６３によって手を持ち上げて、他動的に指の伸展を可能にするようにしたものである。
【０００５】
また、第二のリハビリ装具７が、図５に示すようなカックアップスプリントと称されるもので、橈骨神経麻痺によって手関節が下垂位になった場合に、日常生活上不都合を生じないように、下垂した手を約３０度背屈位に保持させて、日常生活において最も支障の少ない肢位（機能肢位、便宜肢位、良肢位）に固定できるようにした装具である。
【０００６】
このような装具は、橈骨神経麻痺によって収縮できなくなった筋肉を他動的に収縮させて手関節や指のＭＰ関節、ＰＩＰ関節を他動的に屈伸させることにより筋肉の萎縮を防ぎ、関節の拘縮を防ぎ神経麻痺の回復の促進と筋力の回復を促進することを目的とするものである。また、装具によっては関節をひたすら機能肢位に保持して神経麻痺の回復を待つだけのものである。
【先行技術文献】
【特許文献】
【０００７】
【特許文献１】特開平６−７０９４９号後方
【特許文献２】特表２０００−５００６７４号公報
【発明の概要】
【発明が解決しようとする課題】
【０００８】
しかしながら、このようなリハビリ装具においては、次のような問題を有する。
【０００９】
まず、第一のリハビリ装具６のように釣竿状の金属製スプリント６２を手の甲側に設けるようにした構造では、手の周囲に大掛かりな金属製スプリント６２が突出するようになるため、構造的に複雑になってコストが高くなるばかりでなく、使用時にはその金属製スプリント６２が目立って、美感上においても利便性においても抵抗感を与えてしまうといった問題がある。
【００１０】
また、第二のリハビリ装具７では、手関節を機能肢位に保持するだけであり、手関節の可動性がなくリハビリ装具として機能しないのみならず、長期間装着すれば筋肉の不動性萎縮と関節の拘縮を避けがたい。
【００１１】
そこで、本発明は、上記課題に着目してなされたもので、簡単な構造で低コストに製造することができ、しかも、手関節、手指を動かしながら神経麻痺の回復を図れるようにした橈骨神経麻痺用のリハビリ装具を提供することを目的とする。
【課題を解決するための手段】
【００１２】
すなわち、本発明の橈骨神経麻痺用のリハビリ装具は、上記課題を解決するために、人の肘近傍もしくは上腕部に巻き付けるように取り付けられる腕帯と、当該腕帯の第一の位置に設けられる第一腕帯弾性体固定部と、人の手掌に巻き付けるように取り付けられる手掌帯と、当該手掌帯における手の甲側に設けられる第一手掌帯弾性体固定部と、当該第一腕帯弾性体固定部と第一手掌帯弾性体固定部に取り付けられるゴムとを備えるようにしたものである。
【００１３】
このように構成すれば、手関節を固定していないので、手関節の機能肢位保持と同時に、ゴムの弾力を利用して手関節、背屈、掌屈のリハビリテーションを可能とすることができる。また、ゴムの本数を変えれば、各人の手の重量や前腕の長さに応じた張力の調整が可能となり、回復の程度に合わせた張力の微調整も可能となる。
【００１４】
また、このようなリハビリ装具において、さらに、人の各指に巻き付けるように取り付けられる指帯と、当該指帯における指の甲側に設けられる指帯ゴム固定部と、当該指帯ゴム固定部と前記第一腕帯弾性体固定部とに取り付けられるゴムとを備えるようにする。
【００１５】
このようにすれば、手関節の機能回復訓練だけでなく、指についても屈曲と伸展を行わせることができるため、麻痺した指の伸筋腱のリハビリも可能となる。
【００１６】
さらに、前記腕帯を、肘よりも上方の上腕顆上部に設けるようにする。
【００１７】
このようにすれば、ゴムの引っ張り力によって腕帯が末梢部に引っ張られた場合であっても、上腕骨の内顆と外顆は隆起しているので、肘の出っ張りによって腕帯の末梢部への滑りを防止することができ、腕帯の位置を安定させることができるようになる。
【発明の効果】
【００１８】
本発明によれば、人の肘近傍もしくは上腕部に巻き付けるように取り付けられる腕帯と、当該腕帯の第一の位置に設けられる第一腕帯弾性体固定部と、人の手掌に巻き付けるように取り付けられる手掌帯と、当該手掌帯における手の甲側に設けられる第一手掌帯弾性体固定部と、当該第一腕帯弾性体固定部と第一手掌帯弾性体固定部とを連結するゴムとを備え、ゴムの弾力と手関節を支点とした梃子の原理を利用することによって手関節の背屈を可能としたものである。これにより、従来のように釣竿状の金属製スプリントを設ける必要がないのでリハビリ装具をコンパクトに構成にすることができ、また、コストを抑えて低価格にリハビリ装具を提供することができる。しかも、手関節を固定していないので、リハビリテーションの開始は麻痺の直後より可能となり、また、ゴムの本数を変えることで、麻痺の回復程度により手関節背屈力の調整や、各人の手の重さや前腕の長さに応じた背屈力の微調整が可能となる。
【図面の簡単な説明】
【００１９】
【図１】本発明の一実施の形態におけるリハビリ装具を使用した状態の側面図
【図２】同形態におけるリハビリ装具を使用した状態の平面図
【図３】同形態における指帯を用いた状態を示す図
【図４】従来例におけるリハビリ装具を示す図
【図５】従来例におけるリハビリ装具を示す図
【図６】指の各関節の屈曲角度により伸展に作用する腱の力関係が異なることを示す図
【図７】橈骨神経麻痺の症例を示す図
【発明を実施するための形態】
【００２０】
以下、本発明の一実施の形態について図面を参照しながら説明する。
【００２１】
この実施の形態における橈骨神経麻痺用のリハビリ装具１は、図１や図２に示すように、人の腕の上腕顆上部に巻き付けられる腕帯２と、人の手掌に巻き付けられる手掌帯３を設け、その腕帯２と手掌帯３に設けられた第一腕帯ゴム固定部２３と第一手掌帯ゴム固定部３１とをゴム５の弾力を利用して手掌を強制的に背屈させるようにしたものである。以下、本実施の形態におけるリハビリ装具１について説明する。
【００２２】
まず、腕帯２は、人の肘近傍に巻き付けた状態でその位置に固定できるようにしたものであって、テニスのエルボーバンドのような帯状体２１で構成される。そして、その帯状体２１を腕に巻き付けた後に面ファスナー２２によって固着し、使用者の腕の太さに対応できるようにしている。なお、この腕帯２を腕に取り付ける場合、ゴム５の張引力によって手掌側に引っ張られてずれてしまう可能性があるため、帯状体２１の皮膚に接する側にウレタンやゴムなどのような摩擦体を全面に取り付けて、手掌側へのずれを防止できるようにしてもよい。また、このように手掌側へのずれを防止するためには、比較的強く巻き付けて面ファスナー２２で固着させる必要があるが、このように強く巻き付けた場合は、血流が悪くなってしまう可能性がある。このため、好ましくは、肘よりも上腕側（例えば、顆上部など）に巻き付けられるようにしておく。このようにすれば、強く腕に巻き付けなくても、上腕骨の内顆と外顆の出っ張りがアンカーの役目を果たして、手掌側へのずれを防止することができる。
【００２３】
第一腕帯ゴム固定部２３は、図２などに示すように、この腕帯２の表面に取り付けられるもので、ここではリング状部材２５を取り付けて構成されている。そして、このリング状部材２５に、ゴム５の一端側に取り付けられたＳ字状フック５１を引っ掛けることによって、ゴム５を着脱可能に取り付けられるようにしている。
【００２４】
一方、手掌側に取り付けられる手掌帯３は、図２に示すように、示指（人差指）から小指までの指の付け根側の手掌を周回するように取り付けられるものであって、手の甲側からゴム５で引っ張ることによって手を背屈させる綿などの布体やループ状の紐などによって構成される。この手掌帯３の手の甲側における末梢端側には、同様に、ゴム５を取り付けるための第一手掌帯ゴム固定部３１が設けられており、そのゴム５の張引力とテコの原理を利用して、手を背屈させられるようになっている。このゴム５を手掌帯３に取り付ける場合、比較的幅広い手を全体的に背屈させられるように、複数箇所（好ましくは、各指の付け根側）にゴム５の一端側を取り付けられるようにしておき、これによってゴム５で引っ張られた場合に、手全体に均等に背屈力が伝わるようにしている。なお、このような手掌帯３を構成する場合、手や指の屈曲動作や背屈動作時に摩擦によって皮膚が損傷を来さないように、手の平側を比較的柔らかい綿などの素材で構成しておき、手の甲側に面ファスナー２２などを設けるようにしておくとよい。
【００２５】
また、このように手掌側に手掌帯３を設ける他に、指の伸展機能の回復訓練の目的で指帯４を設けることもできる。この指帯４は、図３に示すように、指の基節骨の中枢部に指ぬき状に嵌め込まれるように作成される。その背側の末梢部に設けられた指帯ゴム固定部４１からゴム５を引っ張り、腕帯２の第一腕帯ゴム固定部２３のリング状部材２５に引っ掛けるようにする。これによって第２指〜第４指の中手骨指節間関節（ＭＰ関節）伸展が、ゴムの張力を利用して、他動的に可能となる。拇指に関しては他の指とは異なる方向に伸展させる必要があるため、腕帯２の第一腕帯ゴム固定部２３より５〜７ｃｍ橈骨側に新しい第二腕帯ゴム固定帯２４を設け、これにゴム５を引っ掛けられるようにしている。
【００２６】
次に、このようにリハビリ装具１を用いた場合の作用について説明する。
【００２７】
橈骨神経麻痺では、各手根伸筋腱と指の伸筋腱は収縮させることができず、手関節と指は下垂位となる。このような症例に対して、手掌帯３と腕帯２を取り付け、また、それらの間をゴム５によって連結する。このゴム５の強さとしては、手関節が背屈３０度〜４５度でバランスの取れるように初期設定しておく。このようにすれば、手関節の屈曲は、自己の筋肉の収縮によって可能となり、背屈は、筋肉が麻痺していても、ゴム５の張力と手関節を支点とした梃子の作用により可能となる。
【００２８】
また、手関節の背屈リハビリとは別に指の伸展のリハビリを行う場合は、ゴムに連結された指帯４を用いる。これは、他動的に指のＭＰ関節を伸展させると骨間筋の収縮によりＰＩＰ関節が伸展可能になることを示す。ＭＰ関節を他動的に伸展させると（図６（ｂ））、弛緩していた側索８３は指の背側に滑る。そのとき、骨間筋の収縮により背側に移動した側索が緊張してＰＩＰ関節を伸展する。ＭＰ関節が屈曲すると再び側索８３は掌側に滑りＰＩＰ関節を屈曲させるような力に変化する。骨間筋は橈骨神経以外の神経支配であるので伸筋腱と独立して運動できるようになる（図６（ａ））。
【００２９】
肘の屈曲時と伸展時では多少、ゴムの張力に差が出るはずであるが、前腕の長さと手の大きさは各人によって固定されているので、臨床的には問題になるほどの差はでない。
【００３０】
このように上記実施の形態によれば、人の肘近傍もしくは上腕部（好ましくは、顆上部）に巻き付けるように取り付けられる腕帯２と、当該腕帯２の第一の位置に設けられる第一腕帯ゴム固定部２３と、人の手掌に巻き付けるように取り付けられる手掌帯３と、当該手掌帯３における手の甲側に設けられる第一手掌帯ゴム固定部３１と、当該第一腕帯ゴム固定部２３と第一手掌帯ゴム固定部３１に取り付けられるゴム５とを備えるようにしたので、従来のように釣竿状の金属製スプリントを設ける必要がなくなり、リハビリ装具１をコンパクトに構成にすることができるとともに、コストも抑えて低価格のリハビリ装具１を提供することができる。しかも、手首を固定していないので、装着直後よりリハビリができるのみならず、リハビリが進んだ状態でも手の屈曲と背屈を行わせることができ、その際、ゴム５の本数を変えることができるようにすれば、リハビリの進行状態に合わせた屈曲や背屈の動作を行わせることができるようになる。
【００３１】
なお、本発明は、上記実施の形態に限定されることなく、種々の態様で実施することができる。
【００３２】
例えば、上記実施の形態では、腕帯２を肘近傍に取り付けるようにしたが、手首と肘の間に取り付けるようにしてもよい。この場合は、腕帯２のずれを防止できるようにしておくのが好ましい。
【００３３】
また、上記実施の形態では、手掌帯３のみを取り付けた場合（図１や図２の場合）と、手掌帯３および指帯４を取り付けた場合（図３の場合）について説明したが、指帯４のみを取り付けて使用するようにしてもよい。このような使用状態であっても、指帯４と腕帯２との間のゴム５の張引力によって手関節を背屈させることができ、骨間筋８２の働きによって近位指節間関節の伸展が可能となる。
【００３４】
さらに、上記実施の形態では、Ｓ字状フック５１によってゴム５を腕帯２に取り付けるようにしたが、あらかじめゴム５と腕帯２とを取り付けるようにしておいてもよい。この場合、本発明との関係において、縫合部分などの取り付け部が第一腕帯固定部に相当する。
【００３５】
また、上記実施の形態では、ゴム５を用いて説明したが、コイルスプリングなどの弾性体を用いて手掌帯３を張引させることもできる。
【符号の説明】
【００３６】
１・・・リハビリ装具
２・・・腕帯
２１・・・帯状体
２２・・・面ファスナー
２３・・・第一腕帯ゴム固定部
２４・・・第二腕帯ゴム固定部
２５・・・リング状部材
３・・・手掌帯
３１・・・第一手掌帯ゴム固定部
４・・・指帯
５・・・ゴム
５１・・・Ｓ字状フック
【図１】
2014124191.tif 000003
【図２】
2014124191.tif 000004
【図３】
2014124191.tif 000005
【図４】
2014124191.tif 000006
【図５】
2014124191.tif 000007
【図６】
2014124191.tif 000008
【図７】
2014124191.tif 000009